【手続補正書】
【提出日】平成16年10月6日(2004.10.6)
【手続補正１】
【補正対象書類名】明細書
【補正対象項目名】発明の名称
【補正方法】変更
【補正の内容】
【発明の名称】移動無線端末
【手続補正２】
【補正対象書類名】明細書
【補正対象項目名】特許請求の範囲
【補正方法】変更
【補正の内容】
【特許請求の範囲】
【請求項１】
１つのキーに対して、キーの押下時間に対応して２つのキー操作態様を検出するキー操作検出手段と、
予め登録された少なくとも名前情報とその名前情報に対応したグループ情報とを記憶する記憶手段と、
前記２つのキー操作態様のうち、所定時間以上のキー操作態様を前記キー操作検出手段が検出すると、前記記憶手段に記憶された名前情報のうち所定の条件を満たす情報の検索を実行し、前記２つのキー操作態様のうち、所定時間未満のキー操作態様を前記キー操作検出手段が検出すると、発呼操作に関連する操作を実行する制御手段と、
前記検索された名前情報を表示する表示手段と
を有することを特徴とする移動無線端末。
【請求項２】
１つのキーに対して、キーの押下時間に対応して２つのキー操作態様を検出するキー操作検出手段と、
予め登録された少なくとも名前情報とその名前情報に対応したグループ情報とを記憶する記憶手段と、
前記２つのキー操作態様のうち、所定時間以上のキー操作態様を前記キー操作検出手段が検出すると、前記記憶手段に記憶された名前情報のうち同じ前記グループ情報をもつ情報の検索を実行し、前記２つのキー操作態様のうち、所定時間未満のキー操作態様を前記キー操作検出手段が検出すると、発呼操作に関連する操作を実行する制御手段と、
前記検索された名前情報を表示する表示手段と
を有することを特徴とする移動無線端末。
【請求項３】
前記記憶手段は、前記名前情報に対応した電話番号情報が含まれており、
前記検索において検索された電話番号情報を用いて発呼する発呼手段を有することを特徴とする請求項１又は請求項２に記載の移動無線端末。
【請求項４】
前記検索は、
前記キーの所定時間以上のキー操作態様のキー操作検索手段の検出によって、前記検索が実行開始された後に、前記キーの操作を前記キー操作検出手段によって検出すると、前記名前情報順に検索することを特徴とする請求項１乃至請求項３のいずれか１項に記載の移動無線端末。
【請求項５】
前記検索が実行開始された後における、前記キー操作検出手段のキー操作検出は、前記所定時間未満のキー操作検出であることを特徴とする請求項４に記載の移動無線端末。
【請求項６】
前記キーは、数字が記載されており、
前記グループ情報の名称は、押下されたキーに記載された数字の情報を含むものであることを特徴とする請求項１乃至請求項５のいずれか１項に記載の移動無線端末。
【請求項７】
前記２つのキー操作態様のうち、所定時間未満のキー操作態様を前記キー操作検出手段が検出すると、押下されたキーに記載された数字の情報を含む操作が実行されることを特徴とする請求項６に記載の移動無線端末。
【手続補正３】
【補正対象書類名】明細書
【補正対象項目名】０００１
【補正方法】変更
【補正の内容】
【０００１】
本発明は、ＰＨＳ（Personal Handyphone System）移動端末等の移動無線端末に係わり、詳しくは、同一のキーを用いて発呼動作や検索動作等の少なくとも２つの異なる動作モードの設定可能な移動無線端末に関する。
【手続補正４】
【補正対象書類名】明細書
【補正対象項目名】０００６
【補正方法】変更
【補正の内容】
【０００６】
本発明は上記問題点を解消し、同一のキーを用いて異なる動作モードを設定でき、各種動作モードの設定時のキー操作を簡略化できる移動無線端末を提供することを目的とする。
【手続補正５】
【補正対象書類名】明細書
【補正対象項目名】０００７
【補正方法】変更
【補正の内容】
【０００７】
【課題を解決するための手段】
上記目的を達成するために、請求項１の発明は、１つのキーに対して、キーの押下時間に対応して２つのキー操作態様を検出するキー操作検出手段と、予め登録された少なくとも名前情報とその名前情報に対応したグループ情報とを記憶する記憶手段と、前記２つのキー操作態様のうち、所定時間以上のキー操作態様を前記キー操作検出手段が検出すると、前記記憶手段に記憶された名前情報のうち所定の条件を満たす情報の検索を実行し、前記２つのキー操作態様のうち、所定時間未満のキー操作態様を前記キー操作検出手段が検出すると、発呼操作に関連する操作を実行する制御手段と、前記検索された名前情報を表示する表示手段とを有することを特徴とする。
【手続補正６】
【補正対象書類名】明細書
【補正対象項目名】０００８
【補正方法】変更
【補正の内容】
【０００８】
請求項２の発明は、１つのキーに対して、キーの押下時間に対応して２つのキー操作態様を検出するキー操作検出手段と、予め登録された少なくとも名前情報とその名前情報に対応したグループ情報とを記憶する記憶手段と、前記２つのキー操作態様のうち、所定時間以上のキー操作態様を前記キー操作検出手段が検出すると、前記記憶手段に記憶された名前情報のうち同じ前記グループ情報をもつ情報の検索を実行し、前記２つのキー操作態様のうち、所定時間未満のキー操作態様を前記キー操作検出手段が検出すると、発呼操作に関連する操作を実行する制御手段と、前記検索された名前情報を表示する表示手段とを有することを特徴とする。
【手続補正７】
【補正対象書類名】明細書
【補正対象項目名】０００９
【補正方法】変更
【補正の内容】
【０００９】
請求項３の発明は、請求項１又請求項２の発明において、前記記憶手段は、前記名前情報に対応した電話番号情報が含まれており、前記検索において検索された電話番号情報を用いて発呼する発呼手段を有することを特徴とする。
【手続補正８】
【補正対象書類名】明細書
【補正対象項目名】００１０
【補正方法】変更
【補正の内容】
【００１０】
請求項４の発明は、請求項１乃至請求項３のいずれか１項の発明において、前記検索は、前記キーの所定時間以上のキー操作態様のキー操作検索手段の検出によって、前記検索が実行開始された後に、前記キーの操作を前記キー操作検出手段によって検出すると、前記名前情報順に検索することを特徴とする。
【手続補正９】
【補正対象書類名】明細書
【補正対象項目名】００１１
【補正方法】変更
【補正の内容】
【００１１】
請求項５の発明は、請求項４の発明において、前記検索が実行開始された後における、前記キー操作検出手段のキー操作検出は、前記所定時間未満のキー操作検出であることを特徴とする。
【手続補正１０】
【補正対象書類名】明細書
【補正対象項目名】００１２
【補正方法】変更
【補正の内容】
【００１２】
請求項６の発明は、請求項１乃至請求項５のいずれか１項の発明において、前記キーは、数字が記載されており、前記グループ情報の名称は、押下されたキーに記載された数字の情報を含むものであることを特徴とする。
【手続補正１１】
【補正対象書類名】明細書
【補正対象項目名】００１３
【補正方法】変更
【補正の内容】
【００１３】
請求項７の発明は、請求項６の発明において、前記２つのキー操作態様のうち、所定時間未満のキー操作態様を前記キー操作検出手段が検出すると、押下されたキーに記載された数字の情報を含む操作が実行されることを特徴とする。
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００７４
【補正方法】変更
【補正の内容】
【００７４】
これにより、例えば、同一のキーに対応して発呼動作と、電話帳を検索しその検索された電話番号を用いて発呼する動作とを同一のキーの異なるキー操作態様によって実行でき、発呼用のキーと、電話帳からの電話番号の検索を経た後に発呼する際の検索用のキーとを設けそれぞれを独立に操作して発呼する場合に比べ、発呼時のキー操作性を大幅に向上させることが出来るという優れた利点を有する。 
更には、同一キーにおける発呼動作や電話帳検索動作を行う際に、欧化するキーに記載された数字の情報を含む操作を実行したり、押下するキーに記載された数字の情報を含むグループの情報の名称の電話帳を検索したりすることができるため、ユーザが操作する際に分かりやすく、他の操作キーと間違えることなく移動無線端末の機能を実行することが出来るという優れた利点を有する。